(57)【特許請求の範囲】
【請求項１】
平面形状が略長方形状のシート状であり、
長手方向に沿って順に、第１部分、第２部分及び第３部分を備え、
前記第３部分が、前記第１部分の背面側の全体又は一部を覆うように、前記第１部分と前記第２部分の連結部と、前記第２部分と前記第３部分の連結部は、正面側に谷折り可能であり、
前記第１部分の、前記第２部分と反対側の第１の辺に沿った領域部分に、１又は複数のハンカチ保持用クリップが設けられるとともに、前記第１の辺に沿った領域部分の、前記第１の辺の両端近傍に、それぞれ取付部材用の開孔が形成されており、
前記第２部分と前記第３部分の連結部の両側に、前記第１の辺に直交する２本の第２の辺の一方から他方に向けて、凹部が形成されており、
前記凹部の前記第２の辺からの深さは、前記第２の辺から前記開孔の内側端部までの長さより大きい
ことを特徴とする携帯用ハンカチ保持具。
【請求項２】
少なくとも、前記第１部分及び前記第２部分の正面側が抗菌性を有する布で形成されている
ことを特徴とする請求項１に記載の携帯用ハンカチ保持具。
【請求項３】
前記取付部材用の開孔に、取付部材が取り付けられている
ことを特徴とする請求項１又は２に記載の携帯用ハンカチ保持具。
【請求項４】
前記第３部分が、前記第１部分の背面全体を覆うことができる大きさである
ことを特徴とする請求項１〜３のいずれか一項に記載の携帯用ハンカチ保持具。
【請求項５】
前記第３部分が、前記第１部分の背面の一部のみを覆う大きさである
ことを特徴とする請求項１〜３のいずれか一項に記載の携帯用ハンカチ保持具。
【請求項６】
前記第１部分の背面側と前記第３部分の正面側に互いに係合する固定手段を備える
ことを特徴とする請求項１〜５のいずれか一項に記載の携帯用ハンカチ保持具。
【請求項７】
前記第１部分が、背面側に開口を有する袋状である
ことを特徴とする請求項１〜６のいずれか一項に記載の携帯用ハンカチ保持具。
【発明の詳細な説明】
【技術分野】
【０００１】
この発明は、携帯用ハンカチ保持具に関するものである。
【背景技術】
【０００２】
袋状の部分にハンカチや、その他ティッシュペーパーなどを入れて、洋服や鞄等の好きな部分にクリップ又は紐付きフックで容易に取り付けて携帯できる携帯用ハンカチ保持具が、提案されている（例えば、特許文献１参照）。
【０００３】
これにより、ポケットがない、又はポケットが小さい子供服などに２個のクリップで安定させて取り付けることができるので、ティッシュペーパーやハンカチ等を持ち運べないという不便が解消される。
【先行技術文献】
【特許文献】
【０００４】
【特許文献１】意匠登録第１４３５４６６号公報
【発明の概要】
【発明が解決しようとする課題】
【０００５】
しかしながら、上述の従来例の携帯用ハンカチ保持具は、袋状の部分にハンカチを収納する。このため、通気性が悪く、使用後に濡れたハンカチを収納することに抵抗を感じる人もいる。
【０００６】
また、特に子供がハンカチを使用する場合、ハンカチを取り出してから、収納するまでの間に、地面等に落してしまう場合も珍しくない。
【０００７】
この発明は、上述の問題点に鑑みてなされたものであり、この発明の目的は、携帯用ハンカチ保持具であって、洋服や鞄などにこの携帯用ハンカチ保持具が取り付けられ、さらに、この携帯用ハンカチ保持具にハンカチが取り付けられた状態でハンカチを使用できる携帯用ハンカチ保持具を提供することにある。
【課題を解決するための手段】
【０００８】
上述した目的を達成するために、この発明の携帯用ハンカチ保持具は、平面形状が略長方形状のシート状であり、長手方向に沿って順に、第１部分、第２部分及び第３部分を備えて構成される。また、第３部分が、第１部分の背面側の全体又は一部を覆うように、第１部分と第２部分の連結部と、第２部分と第３部分の連結部は、正面側に谷折り可能である。
【０００９】
また、第１部分の、第２部分と反対側の第１の辺に沿った領域部分に、１又は複数のハンカチ保持用クリップが設けられるとともに、第１の辺に沿った領域部分の両側近傍に、それぞれストラップ、クリップ又はカラビナなどの取付部材用の開孔が形成されている。
【００１０】
さらに、第２部分と第３部分の連結部の両側に、開孔に対応する部分より深い凹部が形成されている。
【００１１】
上述した携帯用ハンカチ保持具の好適実施例によれば、少なくとも、第１部分及び第２部分の正面側が抗菌性を有する布で形成されている。
【００１２】
また、上述した開孔に、ストラップ、クリップ又はカラビナなどの取付部材が取り付けられているのが良い。
【００１３】
また、第１部分の背面側と第３部分の正面側に互いに係合する固定手段を備えるのが良い。また、第１部分が、背面側に開口を有する袋状であるのが良い。
【発明の効果】
【００１４】
この発明の携帯用ハンカチ保持具では、１又は複数のハンカチ保持用クリップにハンカチが取り付け可能である。そして、第１部分と第２部分の連結部と、第２部分と第３部分の連結部を谷折りすれば、ハンカチも携帯用ハンカチ保持具と同じく折りたたまれて収納され、谷折り部を伸ばせば、ハンカチも携帯用ハンカチ保持具と同じく広がり、取り出された状態となる。このため、洋服や鞄などにこの携帯用ハンカチ保持具が取り付けられ、さらに、この携帯用ハンカチ保持具にハンカチが取り付けられた状態でハンカチを使用することができる。また、収納の際には、ストラップ、クリップ又はカラビナなどの取付部材に、第２部分と第３部分の連結部の両側に形成された凹部をひっかければよいので、開閉が容易である。
【００１５】
また、収納時であっても、ハンカチが収納された部分の側面が開いた状態となっているため、通気性が良く、濡れたハンカチも乾きやすいなど衛生的である。
【００１６】
さらに、第１部分及び第２部分の正面側が抗菌性を有する布で形成されていると、通気性と相まって、より衛生的な状態でハンカチを収納することができる。
【００１７】
また、第１部分の背面側と第３部分の正面側に互いに係合する固定手段を備えると、収納状態で誤って、携帯用ハンカチ保持具が開かれてしまうことを防ぐことができる。
【００１８】
また、第１部分の背面側に開口を有する袋状であると、ハンカチだけでなく、ティッシュペーパーなども保持できる。
【図面の簡単な説明】
【００１９】
【図１】（Ａ）は、第１の携帯用ハンカチ保持具を正面側から見た模式図であり、（Ｂ）は、背面側から見た模式図である。
【図２】（Ａ）は、第１の携帯用ハンカチ保持具にハンカチを収納した状態を側面から見た模式図であり、（Ｂ）は、第１の携帯用ハンカチ保持具を開いた状態を正面側から見た模式図である。
【図３】他の構成例の模式図である。
【図４】（Ａ）は、第２の携帯用ハンカチ保持具を正面側から見た模式図であり、（Ｂ）は、背面側から見た模式図である。
【図５】（Ａ）は、第２の携帯用ハンカチ保持具にハンカチを収納した状態を側面から見た模式図であり、（Ｂ）は、第２の携帯用ハンカチ保持具を開いた状態を正面側から見た模式図である。
【発明を実施するための形態】
【００２０】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００２１】
（第１の携帯用ハンカチ保持具）
図１及び２を参照して、この発明の第１の実施形態に係る携帯用ハンカチ保持具（以下、第１の携帯用ハンカチ保持具と称する。）について説明する。図１（Ａ）は、第１の携帯用ハンカチ保持具を正面側から見た模式図であり、図１（Ｂ）は、背面側から見た模式図である。また、図２（Ａ）は、第１の携帯用ハンカチ保持具にハンカチを収納した状態を側面から見た模式図であり、図２（Ｂ）は、第１の携帯用ハンカチ保持具を開いた状態を正面側から見た模式図である。
【００２２】
第１の携帯用ハンカチ保持具は、平面形状が略長方形状のシート状である。第１の携帯用ハンカチ保持具は、長手方向に沿って順に、第１部分１０、第２部分２０及び第３部分３０を備えて構成される。また、第１部分１０と第２部分２０の連結部１２と、第２部分２０と第３部分３０の連結部２２は、正面側に谷折り可能である。両者が谷折りされると、第３部分３０が、第１部分１０の背面側の全体を覆う。このため、第１部分１０、第２部分２０及び第３部分３０は、平面形状及び大きさが略同じであるのが良い。ただし、第１の携帯用ハンカチ保持具自体の厚みや、保持されるハンカチの厚みの分、第２部分２０及び第３部分３０を第１部分１０よりわずかに大きく構成することもある。
【００２３】
また、ここでは、ハンカチには、ミニタオルなど狭義のハンカチよりも厚いものも含むものとして説明する。
【００２４】
第１部分１０の、第２部分２０と反対側の第１の辺１４に沿った領域部分に、１又は複数のハンカチ保持用クリップ１６が設けられている。このハンカチ保持用クリップ１６は、ハンカチを、より開いた状態で保持するために、複数設けられるのが良い。
【００２５】
また、第１の辺１４に沿った領域部分には、第１の辺１４の両端に近い部分に、開孔１８が形成されている。この開孔１８は、ストラップ、クリップ又はカラビナなど、携帯用ハンカチ保持具を服や鞄などに取り付けるための取付部材５０を取り付けるのに用いられる。この開孔１８は、任意好適な方法で形成することができる。例えば、開孔１８をボタンホールとして形成しても良い。
【００２６】
さらに、第２部分２０と第３部分３０の連結部２２の両側には凹部２４が設けられている。この凹部２４は、開孔１８に対応する部分より深く形成されている。すなわち、凹部２４の第１の辺１４に直交する第２の辺１５からの深さは、第２の辺から開孔１８の内側端部までの長さよりも大きい。ハンカチを収納する際には、ストラップ、クリップ又はカラビナなどの取付部材に、凹部２４をひっかけることにより、携帯用ハンカチ保持具が閉じられた状態の維持を容易に行うことができる。
【００２７】
なお、ここでは、ハンカチ保持用クリップ１６が、開孔１８付近に設けられる例を示しているが、ハンカチ保持用クリップ１６の位置はこれに限定されない。また、ハンカチ保持用クリップ１６は、任意好適な手段で第１部分１０に取り付ければ良い。
【００２８】
第１の携帯用ハンカチ保持具では、ハンカチ保持用クリップ１６にハンカチ６０が取り付けられる。そして、図２（Ａ）に示すように、第１部分１０と第２部分２０の連結部１２と、第２部分２０と第３部分３０の連結部２２を正面側に谷折りすれば、ハンカチも携帯用ハンカチ保持具と同じく折りたたまれて収納される。一方、図２（Ｂ）に示すように谷折りされた部分を拡げれば、ハンカチ６０も携帯用ハンカチ保持具と同じく広がり、使用可能な状態となる。このため、洋服や鞄などにこの携帯用ハンカチ保持具が取り付けられ、さらに、この携帯用ハンカチ保持具にハンカチが取り付けられた状態でハンカチを使用できる。また、ハンカチを収納する際には、ストラップ、クリップ又はカラビナなどの取付部材５０に、第２部分２０と第３部分３０の連結部２２の両側に形成された凹部２４をひっかければよいので、開閉が容易である。図２（Ａ）及び（Ｂ）では、取付部材５０としてストラップを用いた例を示しているが、取付部材５０として、クリップ又はカラビナなどを用いても良い。
【００２９】
また、ハンカチを収納している状態では、側面が開いているため、通気性が良く、濡れたハンカチが乾きやすいなど衛生的である。また、ハンカチをハンカチ保持具と一緒に折りたたむようにして収納されるので、ミニタオルなど狭義のハンカチよりも厚いものにもそのまま用いることができる。
【００３０】
この携帯用ハンカチ保持具は、任意好適な布で構成することができるが、少なくとも第１部分及び第２部分の正面側が抗菌性を有する布で形成されるのが良い。第１部分及び第２部分の正面側が抗菌性を有する布で形成されていると、通気性と相まって、より衛生的な状態でハンカチを収納することができる。抗菌性を有する布として、竹繊維や、銀を表面に付着させた繊維で形成されたものなど、抗菌性を有する、任意好適な公知の布を用いることができる。
【００３１】
また、第３部分３０の正面側と第１部分１０の背面側に互いに係合する固定手段３２及び４６を備えるのが良い。この固定手段３２及び４６は、ボタンや面ファスナなど任意好適な構成にすることができる。
【００３２】
この固定手段３２及び４６は必須ではないが、固定手段３２及び４６を備える構成にすると、収納状態で誤って、携帯用ハンカチ保持具が開かれてしまうことを防ぐことができる。
【００３３】
また、この第１の携帯用ハンカチ保持具は、第１部分１０が、背面側に開口４２を有する袋状に構成されている。第１部分１０は、ほぼ同一の形状及びほぼ同一の大きさの、矩形状の２枚の布を用意し、この２枚の布を重ねて、４辺に沿って縫い合わせるなどして袋状にすることができる。背面側の布には１つの辺に沿って、この布を二分するように開口４２が設けられている。なお、背面側の布として、正面側の布の半分程度の大きさの布を２枚用意して、開口４２付近において２枚の布が重なるように設けても良い。
【００３４】
この第１部分１０の袋状に構成されている部分には、例えば、携帯用のティッシュペーパー、いわゆるポケットティッシュを収納することができる。なお、この袋状に構成されている部分に収納されるものはポケットティッシュには限らない。例えば、携帯電話やスマートフォンなどを収納する構成にしても良い。なお、携帯電話やスマートフォンを収納する場合は、第１部分の背面側を、ビニールなど透明性を有する材料で構成し、携帯電話等の表示画面を視認可能にしておくのが良い。
【００３５】
また、この第１の携帯用ハンカチ保持具は、第３部分３０が、正面側に開口３４を有する袋状に構成されている。第３部分の袋状の構造は、第１部分１０と同様に２枚の布を用いて構成することができる。この第３部分３０の袋状に構成されている部分の開口３４は、例えば、ファスナなどで開閉自在にしておくのが良い。これは、この第１の携帯用ハンカチ保持具の開閉時に、第３部分３０は、上下が反転するので、内部に収納されているものが反転の際に落下するのを防ぐためである。
【００３６】
ここで、第１部分１０の袋状に構成されている部分を、携帯電話やスマートフォンを収納する部分として使用する場合には、第３部分の袋状に構成されている部分を、ポケットティッシュを収納可能な構成にしても良い。この場合、第３部分の正面側の構造を、図１（Ｂ）に示す、第１部分の背面側の構造と同様に構成すればよい。
【００３７】
図３を参照して、取付部材用の開孔の、他の構成例について説明する。図３は、他の構成例を示す模式図である。図３では、第２部分及び第３部分や、ハンカチ保持用クリップの図示を省略している。他の構成例では、第１の辺１４に沿って、ベルト１１２を第１部分１０に取り付け、ベルト１１２と第１部分１０との間の部分を開孔としている。他の構成例では、ベルト１１２を両端１１４と中央１１６で第１部分１０に固定し、両端１１４と中央１１６の間を取付部材用の開孔１１８として利用することができる。
【００３８】
（第２の携帯用ハンカチ保持具）
図４及び５を参照して、この発明の第２の実施形態に係る携帯用ハンカチ保持具（以下、第２の携帯用ハンカチ保持具と称する。）について説明する。図４（Ａ）は、第２の携帯用ハンカチ保持具を正面側から見た模式図であり、図４（Ｂ）は、背面側から見た模式図である。また、図５（Ａ）は、第２の携帯用ハンカチ保持具にハンカチを収納した状態を側面から見た模式図であり、図２（Ｂ）は、第２の携帯用ハンカチ保持具を開いた状態を正面側から見た模式図である。なお、第１の携帯用ハンカチ保持具と同様に構成される部分については、重複する説明を省略することがある。
【００３９】
図５（Ａ）に示すように、第２の携帯用ハンカチ保持具は、第１部分１０と第２部分２０の連結部１２と、第２部分２０と第３部分１３０の連結部２２は、正面側に谷折りされると、第３部分１３０が、第１部分１０の背面側の一部を覆う。このため、第１部分１０及び第２部分２０は、平面形状及び大きさが略同じであり、第３部分１３０は、第１部分１０及び第２部分２０に比べて長手方向の長さが短い。第２の携帯用ハンカチ保持具では、第３部分１３０が第１の携帯用ハンカチ保持具の第３部分３０に比べて小さいので、第３部分１３０に袋状部分が設けられていない。
【００４０】
第１の携帯用ハンカチ保持具では、第３部分３０が第２の携帯用ハンカチ保持具の第３部分１３０に比べて大きく、第３部分３０の重さ等により、固定手段を用いなくても、携帯用ハンカチ保持具を閉じた状態を維持しやすい。
【００４１】
これに対し、第２の携帯用ハンカチ保持具は、第３部分１３０が第１の携帯用ハンカチ保持具の第３部分３０に比べて小さく、携帯用ハンカチ保持具を閉じた状態での維持が難しい場合がある。このため、固定手段４６及び１３２を設けるのが良い。
【００４２】
図５（Ａ）及び（Ｂ）では、取付部材５２としてクリップを用いた例を示しているが、取付部材５２として、ストラップ又はカラビナなどを用いても良い。
【００４３】
この第２の携帯用ハンカチ保持具は、第３部分１３０に袋状部分がないため、収納量は、第１の携帯用ハンカチ保持具よりも少ない。しかし、図５（Ｂ）に示すように、第３部分１３０の長手方向の長さ、すなわち、開いた状態での携帯用ハンカチ保持具の長さが短いため、子供などが用いても、携帯用ハンカチ保持具が開いた状態で地面等に接触しにくい。
【符号の説明】
【００４４】
１０    第１部分
１２、２２    連結部
１４    第１の辺
１６    ハンカチ保持用クリップ
１８    開孔
２０    第２部分
２４    凹部
３０、１３０    第３部分
３２、４６、１３２    固定手段
３４、４２    開口
５０、５２    取付部材
６０    ハンカチ
【要約】
【課題】洋服や鞄などにこの携帯用ハンカチ保持具が取り付けられ、さらに、この携帯用ハンカチ保持具にハンカチが取り付けられた状態でハンカチを使用できる携帯用ハンカチ保持具を提供する。
【解決手段】平面形状が略長方形状のシート状であり、長手方向に沿って順に、第１部分、第２部分及び第３部分を備えて構成される。また、第３部分が、第１部分の背面側の全体又は一部を覆うように、第１部分と第２部分の連結部と、第２部分と第３部分の連結部は、正面側に谷折り可能である。第１部分の、第２部分と反対側の第１の辺に沿った領域部分に、ハンカチ保持用クリップが設けられるとともに、第１の辺に沿った領域部分に、取付部材用の開孔が形成されている。第２の部分と第３の部分の連結部の両側に、開孔に対応する部分より深い凹部が形成されている。
【選択図】図１【図１】
0005737644.tif 000002
【図２】
0005737644.tif 000003
【図３】
0005737644.tif 000004
【図４】
0005737644.tif 000005
【図５】
0005737644.tif 000006